(57)【要約】【課題】  目詰まりしにくいシューズクリーナー用の回転ブラシを提供する。【解決手段】本発明は、シューズ底面に付着した塵泥を回転ブラシで掃除するシューズクリーナー１で、植毛材２１と、植毛材２１が植毛される部分２３及び塵泥を下側に落とす開口又は切り欠き部分２４を有しているブラシ台２２と、を備えているブラシ部１８と、ブラシ部１８の下側に同軸に設けられた遠心ファン部１９と、遠心ファン部１９の下側に設けられた泥受け部２０とを備えたことを特徴とする。当該構成を採用したことによって、ブラシ部の下方に遠心ファン部を設けたので、ブラシ部の回転に伴って、軸寄りの位置から放射状に向かう空気の流れができ、植毛材によってシューズ底面から除去された塵泥を泥受け部に溜まりにくくする。【選択図】図１
2018201785.tif 000002
【特許請求の範囲】
【請求項１】
シューズ底面に付着した塵泥を回転ブラシで掃除するシューズクリーナーで、上に向けた状態で使用される回転ブラシにおいて、
植毛材と、前記植毛材が植毛される部分及び前記塵泥を下側に落とす開口又は切り欠き部分を有しているブラシ台と、を備えているブラシ部と、
前記ブラシ部の下側に同軸に設けられた遠心ファン部と、
前記遠心ファン部の下側に設けられた泥受け部とを備えたことを特徴とする回転ブラシ。
【請求項２】
前記遠心ファン部は放射状に伸びている複数のブレードを有しており、前記ブラシ台の前記植毛材が植毛される部分が、前記複数のブレードに沿って放射状に伸びている、請求項１に記載の回転ブラシ。
【請求項３】
前記複数のブレードは、側方から見た形状が、前記ブラシ台の底と前記泥受け部の上面との間に区画される形状を有している、請求項２に記載の回転ブラシ。
【請求項４】
前記ブラシ台の前記植毛される部分と前記遠心ファン部のブレードの上部とが繋がって一体形成されており、前記遠心ファン部のブレードの下部と前記泥受け部の上面とが繋がって一体形成されている、請求項３に記載の回転ブラシ。
【請求項５】
前記ブラシ部は、前記放射状に伸びている植毛される部分の隣り合う部分の間を線状に接続してシューズの侵入を防ぐ防止部を有している、請求項２乃至請求項４の何れか一項に記載の回転ブラシ。
【請求項６】
前記泥受け部は、前記ブラシ部と同軸に設けられた円錐形状を有している、請求項１乃至請求項４の何れか一項に記載の回転ブラシ。
【請求項７】
請求項１乃至請求項６の何れか一項に記載の回転ブラシを上に向けた状態で設置し、当該回転ブラシのブラシ部にシューズを載置して掃除を行うことを特徴とするシューズクリーナー。
【請求項８】
さらに、前記回転ブラシによってシューズ底面から掃除され、前記泥受け部から落ちてきた塵泥を集める、着脱可能な泥受トレイを備えている、請求項７に記載のシューズクリーナー。
【発明の詳細な説明】
【技術分野】
【０００１】
本発明は、回転ブラシを用いてシューズの底面に付着した塵泥を掃除するシューズクリーナに関する。
【背景技術】
【０００２】
シューズクリーナーは、回転軸を上に向けたモーターと、当該モーターの回転軸に、上を向けた状態、即ち、植毛材が上側となるように取り付けられた回転ブラシを備えている。従来の回転ブラシは、モーターに塵泥が直接付着するのを防ぐため、モーターを覆う程の大きさの薄いディスク状のブラシ台と、このブラシ台全面に植毛された植毛材とを備えている（特許文献１の図５を参照）。
【先行技術文献】
【特許文献】
【０００３】
【特許文献１】特開２０１５−１９２８４３号公報
【発明の概要】
【発明が解決しようとする課題】
【０００４】
雨が降った時の野球試合後、ゴルフプレイ後のシューズの底面には、多量の塵泥が付着している。従来の回転ブラシは、ディスク状のブラシ台上に泥が積もり、泥のある位置と植毛材先端までの距離が短くなっていき、１０人も使えば、うまく掃除できなくなってしまう。また、ブラシ台上に偏って泥が付着すると、偏芯し、モーターの故障の原因となる。
【０００５】
回転ブラシを交換又は水洗掃除するには、費用、手間、時間が必要になるので、交換又は水洗掃除の頻度を少なくすることが求められる。
【０００６】
本発明は、上記従来例の問題を解決するためになされたものであり、長時間使用を可能にする回転ブラシと、これを用いたシューズクリーナーを提供することを目的とする。
【課題を解決するための手段】
【０００７】
上記目的を達成するために本発明の回転ブラシは、シューズ底面に付着した塵泥を回転ブラシで掃除するシューズクリーナーで、上に向けた状態で使用される回転ブラシにおいて、植毛材と、前記植毛材が植毛される部分及び前記塵泥を下側に落とす開口又は切り欠き部分を有しているブラシ台と、を備えているブラシ部と、前記ブラシ部の下側に同軸に設けられた遠心ファン部と、前記遠心ファン部の下側に設けられた泥受け部とを備えたことを特徴とする。
【０００８】
前記遠心ファン部は放射状に伸びている複数のブレードを有しており、前記ブラシ台の前記植毛材が植毛される部分が、前記複数のブレードに沿って放射状に伸びている、ことが好ましい。
【０００９】
前記複数のブレードは、側方から見た形状が、前記ブラシ台の底と前記泥受け部の上面との間に区画される形状を有している、ことが好ましい。
【００１０】
前記ブラシ台の前記植毛される部分と前記遠心ファン部のブレードの上部とが繋がって一体形成されており、前記遠心ファン部のブレードの下部と前記泥受け部の上面とが繋がって一体形成されている、ことが好ましい。
【００１１】
前記ブラシ部は、前記放射状に伸びている植毛される部分の隣り合う部分の間を線状に接続してシューズの侵入を防ぐ防止部を有している、ことが好ましい。
【００１２】
前記泥受け部は、前記ブラシ部と同軸に設けられた円錐形状を有している、ことが好ましい。
【００１３】
本発明のシューズクリーナーは、前記何れか一項に記載の回転ブラシを上に向けた状態で設置し、当該回転ブラシのブラシ部にシューズを載置して掃除を行うことを特徴とする。
【００１４】
さらに、前記回転ブラシによってシューズ底面から掃除され、前記泥受け部から落ちてきた塵泥を集める、着脱可能な泥受トレイを備えている、ことが好ましい。
【発明の効果】
【００１５】
本発明の回転ブラシは、ブラシ部の下方に遠心ファン部を設けたので、ブラシ部の回転に伴って、軸寄りの位置から放射状に周囲に向かう空気の流れができ、植毛材によってシューズ底面から除去された塵泥が泥受け部に溜まりにくい。また、溜まった場合でも、遠心ブラシの高さの分だけ、植毛材が詰まるまでのタイミングを遅くすることができる。従来のシューズクリーナーに本発明の回転ブラシを用いた場合、及び、本発明のシューズクリーナーでは、植毛材の周りに塵泥が詰まるまでのタイミングを飛躍的に遅くすることができる。
【図面の簡単な説明】
【００１６】
【図１】本発明の一実施の形態に係るシューズクリーナーの全体を示す斜視図。
【図２】同シューズクリーナーのシューズを載せる本体の拡大斜視図。
【図３】同シューズを載せる本体のカバーを取り外したケース内の状態を示す上面図。
【図４】同ケース内から回転ブラシ及びモーターを取り出して表す斜視図。
【図５】同ケース内から回転ブラシ及びモーターを取り出して表す側方図。
【図６】回転ブラシの改良例の断面図。
【図７】回転ブラシの改良例を取り付けたケース内の状態を示す上面図。
【図８】同ケースから回転ブラシの改良例及びモーターを取り出して表す斜視図。
【発明を実施するための形態】
【００１７】
本発明のシューズクリーナー用回転ブラシは、植毛材と当該植毛材を植毛するブラシ台とを備えたブラシ部の下側に、シロッコファン、ターボファンを含む遠心ファン部及び泥受け部を設けたもので、前記ブラシ台は、塵泥を下側に落とす開口又は切り欠きを有している。ブラシ部の回転に伴い、遠心ファン部は回転軸側から周囲に向けて放射状に進む風を作り、泥受け部に塵泥が溜まるのを防ぎ、植毛材の先近くまで塵泥が溜まるまでの時間を飛躍的に遅くし、目詰まりを防ぐ。泥受け部は傘のような円錐形状を有しているのが好ましく、当該構成を採用することで、より一層泥が溜まるのを防ぐことができる。
【００１８】
本発明の一実施の形態に係る回転ブラシ及びこの回転ブラシを用いてシューズの底面に付着した塵泥を掃除するシューズクリーナー１の説明を添付図面を参照しつつ行う。図１に示すように、シューズクリーナー１は、電動モーター（図３を参照）で動き、外部電源に接続するためのコンセントケーブル２を有している。シューズクリーナー１は、幅約４２０ｍｍ、奥行き約６００ｍｍ、高さ約３７０ｍｍの略立方体のシューズクリーナー本体３と、取っ手部４とで構成されている。
【００１９】
取っ手部４は、シューズクリーナー本体３の背部に取り付けられている高さ約１０５０ｍｍの２本のスタンドロッド５、６と、このロッド５、６の先に取り付けられており、使用者が使用時に手を置くための幅約４００ｍｍのハンドルバー７とで構成されており。ハンドルバー７は、クリーナーの始動スイッチ８を備えている。シューズクリーナー１は、使用者が始動スイッチ８を押下している間だけ動作する。
【００２０】
図２に示すように、シューズクリーナー本体３は、カバー９と、ケース１０とで構成されている。ケース１０の側部には、このケース１０の底面と略同じ形状で、内部に溜まった塵泥を取り除くため両矢印Ａ方向にスライド移動する引き出し式の泥受トレイ１１を着脱可能な状態で備えている。泥受トレイ１１によって、掃除により取り除いた塵泥を速やかに処分することが可能になり、シューズクリーナー１の使用可能時間をさらに伸ばすことができる。
【００２１】
カバー９には、使用者のシューズを差し込む、幅約２００ｍｍ、奥行き約４５０ｍｍの開口部１２が設けられている。開口部１２の内側、ケース１０の上側（図３を参照）には、差し込んだシューズのブレを防ぐための、間隔約１５０ｍｍで平行に並べられている１対のガイドレール１３が設けられている。ケース１０の内部には、ガイドレール１３の下側に回転ブラシ１４が上を向けて設けられている。
【００２２】
図３は、シューズクリーナー本体３のカバー９を取り除いた状態で、ケース１０を上から見た図を示す。ガイドレール１３の下側には、回転ブラシ１４と、この回転ブラシ１４の駆動部１５が設けられている。使用者は、このガイドレール１３の間にシューズを差し込み、回転ブラシ１４上に載置して掃除を行う。この駆動部１５は、泥受トレイ１１の少し上にケース１０の両側部に略平行に固定されている２本の板状の支持フレーム１６、１７の上に取り付けられている。回転ブラシ１４は、駆動部１５の上側において植毛材を上に向けた状態で設置されている。泥受トレイ１１は、２本の支持フレーム１６、１７の下側に設けられており、駆動部１５の状態によらず、図面左右方向に引き出すことができる。
【００２３】
図４は、回転ブラシ１４及び駆動部１５の構成を説明するため、回転ブラシ１４及び駆動部１５をケース１０から取り出した状態を示す斜視図である。回転ブラシ１４は、ブラシ部１８と、遠心ファン部１９と、泥受け部２０とで構成される。ブラシ部１８は、植毛材２１と、ブラシ台２２とで構成される。植毛材２１は、多数の毛束又は樹脂製等の糸束等、シューズ底面を掃除するのに好適な材料を用いる。ブラシ台２２は、植毛材２１が植毛される部分２３及び塵泥を下側に落とす開口又は切り欠き部分２４（点線で囲んで示す）を有している。遠心ファン部１９は、放射状に伸びている複数のブレード２５を有しており、ブラシ台２２の植毛材２１が植毛される部分２３は、ブレード２５に沿って軸中心から周囲に向けて放射状に伸びている。本実施形態においては、ブラシ台２２の植毛される部分２３と遠心ファン部１９のブレード２５の上部とは、繋がって一体形成されているが、理解の容易のため、図中に点線でブラシ台２２とブレード２５の境界を点線で示す。当該構成を採用することによって、構成部品の数を少なくでき、製造工程の簡略化を図ることができる。回転ブラシ１４は、例えば、削り出し、３Dプリンタ、または、金型等を用いた成形技術によってつくられる。
【００２４】
駆動部１５は、駆動モーター２６と、減速機２７とを備えている。減速機２７は、駆動モーター２６の回転軸を横向き（図で右斜め下方）から上向き（図で上方）に変え、同時に、回転速度の調節を行う。このような減速機の構成は周知であるので、ここでの詳細な説明は省略する。
【００２５】
なお、図３に示した泥受トレイ１１は、回転ブラシ１４によってシューズ底面から掃除され、泥受け部２０から落ちてきた塵泥を集める。
【００２６】
図５は、回転ブラシ１４と駆動部１５を横から見た図である。回転ブラシ１４の泥受け部２０は、ブラシ部１８と同軸に設けられた円錐形状を有している。この形状を採用することにより、上面部分に塵泥が溜まりにくくする。
【００２７】
図６は、図５に示したブラシ部１４の改良例を示す。改良例では、遠心ファン部１９の代わりに、遠心ファン部２８を用いる点が異なる。遠心ファン部２８は、ブレード２９の側方から見た形状が、ブラシ台２２の底と泥受け部２０の上面との間に区画される形状と同じに設計されている。当該構成を採用することによって、ブレード２９の面積を最大にし、軸から放射状に周囲に向かう風を増やす。当該構成におて、ブレード２９の下部と、泥受け部２０の上面とは、繋がって一体形成されている。当該構成を採用することによって、構成部品の数を少なくでき、製造工程の簡略化を図ることができる。
【００２８】
図７は、図５に示した回転ブラシ１４に改良を施したものを示す。ブラシ部１８は、放射状に伸びている植毛される部分２３の隣り合う部分の間の空間、即ち、塵泥を下側に落とす開口又は切り欠き部分２４を線状に接続してシューズの侵入を防ぐ防止部３０を備えている。「線状に接続」とは、開口又は切り欠き部分２４を完全に塞ぐことはせずに、塵泥を下側に落とす機能を妨げないように、一部を橋渡しするよう接続することをいう。具体的には、防止部３０は、図示するように、塵泥を下側に落とすため、開口又は切り欠き２４を完全に塞ぐことはせずに、帯状に伸びている板状材である。この防止部３０を設けることによって、使用者のシューズの踵部分またはつま先が、遠心ファン部１９のブレード２５（図４を参照）に当たるのを防ぐ。
【００２９】
図８は、この改良を施した回転ブラシ１４と駆動部１５の斜視図である。図示するように、防止部３０は、遠心ファン部１９のブレード２５の幅約１／３程の厚みのもので、ブレード２５と一体形成されている。
【００３０】
この防止部３０に係る改良は、図６に示した回転ブラシ１４の改良例に対しても、同様に施すことができる。
【００３１】
なお、本発明は、上記各種実施形態の構成に限られず、発明の趣旨を変更しない範囲で種々の変形が可能である。例えば、ブラシ台２２の植毛される部分２３と遠心ファン部１９のブレード２５は、一体形成されていなくても良い。同様に、遠心ファン部１９のブレード２５の下部と泥受け部２０の上面とは、一体形成されていなくても良い。この構成を採用することで、部品点数は増えるが、例えば、ブラシ台２２、遠心ファン部１９、泥受け部２０の順に高速回転させる制御が可能になる。単一の駆動源で、同軸に並べられた複数の部材を異なる回転速度で回転させる技術については、３針時計等で既に確立されているので、詳しい説明は省く。ブラシ台２２と遠心ファン部１９とを分離することで、例えば、遠心ファン１９に含まれており、一般によく知られている、シロッコファン、ターボファンの形状にすることも可能になる。また、遠心ファン部１９のブレード２５の表面と泥受け部２０の上面をフッ素加工等の撥水処理を施しても良い。このような構成を採用することによって、一層の長時間使用を可能にする。
【産業上の利用可能性】
【００３２】
本発明のシューズクリーナーは、主に運動シューズの底面の掃除を目的とするが、これに限定されず、農作業用の長靴にも使用できる。この他、回転ブラシは、植毛材を上向きに載置されている回転ブラシを用いるタイプのクリーナー全般に使用することができる。
【符号の説明】
【００３３】
１          シューズクリーナー
２          コンセントケーブル
３          シューズクリーナー本体
４          取っ手部
５、６      ロッド
７          ハンドルバー
８          始動スイッチ
９          カバー
１０        ケース
１１        泥受トレイ
１２        開口部
１３        ガイドレール
１４        回転ブラシ
１５        駆動部
１６、１７  支持フレーム
１８        ブラシ部
１９、２８  遠心ファン部
２０        泥受け部
２１        植毛材
２２        ブラシ台
２３        植毛される部分
２４        開口又は切り欠き部分
２５、２９  ブレード
２６        駆動モーター
２７        減速機
３０        防止部
【図１】
2018201785.tif 000003
【図２】
2018201785.tif 000004
【図３】
2018201785.tif 000005
【図４】
2018201785.tif 000006
【図５】
2018201785.tif 000007
【図６】
2018201785.tif 000008
【図７】
2018201785.tif 000009
【図８】
2018201785.tif 000010